(57)【要約】【課題】ケース内から靴を取り出さなくともシューズボックス内の棚上に一足の靴を並べて載置することが出来る靴収納ケースを提供する。【解決手段】一足の靴を片足分ずつ分けて収納する互いに同一形状同一サイズの一対のケース単体１Ａ，１Ｂから成り、各ケース単体は、長方形の底板部２と、この底板部の四辺から立ち上がる周側板部３とから形成された上側解放のものであって、前記周側板部３は、高さの低いケース前半部領域５と高さの高いケース後半部領域６から構成され、ケース後半部領域６は、上端側ほど左右横巾が狭まるように構成され、一対のケース単体を互いに前後逆向きで且つ両ケース単体の底板部２間の周囲が各ケース単体の周側板部３によって囲まれるように上下逆向きに重ねたとき、各ケース単体のケース後半部領域６の上端部が相手側ケース単体のケース前半部領域５の内側に嵌合して相手側ケース単体の底板部２に当接する構成。【選択図】図１
2014028623.tif 000002
【特許請求の範囲】
【請求項１】
一足の靴を片足分ずつ分けて収納する互いに同一形状同一サイズの一対のケース単体から成り、各ケース単体は、長方形の底板部と、この底板部の四辺から立ち上がる周側板部とから形成された上側解放のものであって、前記周側板部は、高さの低いケース前半部領域と高さの高いケース後半部領域から構成され、当該周側板部のケース後半部領域は、上端側ほど左右横巾が狭まるように構成され、一対のケース単体を互いに前後逆向きで且つ両ケース単体の底板部間の周囲が各ケース単体の周側板部によって囲まれるように上下逆向きに重ねたとき、各ケース単体のケース後半部領域の上端部が相手側ケース単体のケース前半部領域の内側に嵌合して相手側ケース単体の底板部に当接するように構成された、靴収納ケース。
【請求項２】
各ケース単体の周側板部の内、左右両側板部は、前後両側板部の高さと等しい高さで底板部と平行な前端側上側辺と後端側上側辺、及びこれら前後両上側辺をつなぐ斜辺を有するように構成され、一対のケース単体を互いに前後逆向きで且つ両ケース単体の底板部間の周囲が各ケース単体の周側板部によって囲まれるように上下逆向きに重ねて、各ケース単体のケース後半部領域の上端部を相手側ケース単体のケース前半部領域の内側に嵌合して相手側ケース単体の底板部に当接させたとき、両ケース単体の前記左右両側板部の斜辺どうしが互いに隣接するように構成された、請求項１に記載の靴収納ケース。
【請求項３】
各ケース単体の周側板部における前後両側板部の内、ケース後半部領域を構成する後側板部には、相手側ケース単体におけるケース前半部領域の内側に嵌合する上端部分より低い位置で開口窓が設けられている、請求項１又は２に記載の靴収納ケース。
【請求項４】
各ケース単体の前後両側板部の内の一方の上端に突出部が設けられ、各ケース単体の前後両側板部の内の他方の下端に隣接する底板部側には、一対のケース単体を互いに前後逆向きで且つ両ケース単体の底板部間の周囲が各ケース単体の周側板部によって囲まれるように上下逆向きに重ねたときに相手側のケース単体の前記突出部が嵌合する被係合凹部が設けられている、請求項１〜３の何れか１項に記載の靴収納ケース。
【発明の詳細な説明】
【技術分野】
【０００１】
本発明は、一足の靴を片足分ずつ分けて収納する一対のケース単体から成る靴収納ケースに関するものである。
【背景技術】
【０００２】
この種の靴収納ケースとしては、特許文献１に記載されるように、一足の靴を片足分ずつ分けて収納する一対のケース単体を、前後逆向きに並列させた状態で側辺どうしを蝶番で開閉自在に連結したものが知られている。
【先行技術文献】
【特許文献】
【０００３】
【特許文献１】特開２００５−２９１６８号公報
【発明の概要】
【発明が解決しようとする課題】
【０００４】
上記特許文献１に記載のような靴収納ケースでは、靴を片足分ずつ収納した状態の一対のケース単体を互いに重ねるように閉じて保管や運搬に供することが出来るが、ケースを開いて各ケース単体内に片足分ずつ収納した一足の靴を視認出来る状態にしたとき、一足の靴が前後逆向きの状態で並列することになるだけでなく、ケース全体が構造上大型になるので、そのままの状態で家具としてのシューズボックスの棚上に載置する使用法には不適である。従って、シューズボックスの棚上に靴を並べて使用する場合には、靴収納ケースから靴を取り出すことになり、空になった靴収納ケースを別途保管しなければならない不便さがあった。
【課題を解決するための手段】
【０００５】
本発明は、上記のような従来の問題点を解消することのできる靴収納ケースを提案するものであって、第１発明（請求項１）に係る靴収納ケースは、後述する実施例との関係を理解し易くするために、当該実施例の説明において使用した参照符号を括弧付きで付して示すと、一足の靴を片足分ずつ分けて収納する互いに同一形状同一サイズの一対のケース単体(1A,1B)から成り、各ケース単体(1A,1B)は、長方形の底板部(2)と、この底板部(2)の四辺から立ち上がる周側板部(3) とから形成された上側解放のものであって、前記周側板部(3)は、 高さの低いケース前半部領域(5)と高さの高いケース後半部領域(6)から構成され、当該周側板部(3)のケース後半部領域(6)は、上端側ほど左右横巾が狭まるように構成され、
一対のケース単体(1A,1B)を互いに前後逆向きで且つ両ケース単体(1A,1B)の底板部(2)間の周囲が各ケース単体(1A,1B)の周側板部(3)によって囲まれるように上下逆向きに重ねたとき、各ケース単体(1A,1B)のケース後半部領域(6)の上端部が相手側ケース単体のケース前半部領域(5)の内側に嵌合して相手側ケース単体の底板部(2)に当接する構成になっている。
【０００６】
上記本発明を実施する場合、第２発明（請求項２）のように、各ケース単体(1A,1B)の周側板部の内、左右両側板部(3c,3d)は、 前後両側板部(3a,3b)の高さと等しい高さで底板部(2)と平行な前端側上側辺と後端側上側辺、及びこれら前後両上側辺をつなぐ斜辺を有するように構成し、一対のケース単体(1A,1B)を互いに前後逆向きで且つ両ケース単体(1A,1B)の底板部(2)間の周囲が各ケース単体(1A,1B) の周側板部(3)によって囲まれるように上下逆向きに重ねて、各ケース単体(1A,1B)のケース後半部領域(6)の上端部を相手側ケース単体のケース前半部領域(5)の内側に嵌合して相手側ケース単体の底板部(2)に当接させたとき、両ケース単体(1A,1B) の前記左右両側板部の斜辺どうしが互いに隣接するように構成することが出来る。更に、第３発明（請求項３）のように、各ケース単体(1A,1B)の周側板部(3)における前後両側板部(3a,3b)の内、ケース後半部領域(6)を構成する後側板部(3b)には、相手側ケース単体におけるケース前半部領域(5) の内側に嵌合する上端部分より低い位置で開口窓(7)を設けることが出来る。
【０００７】
更に、第４発明のように、各ケース単体(1A,1B)の前後両側板部(3a,3b)の内の一方の上端に突出部(25)を設け、各ケース単体(1A,1B)の前後両側板部(3a,3b)の内の他方の下端に隣接する底板部(2)側には、一対のケース単体(1A,1B)を互いに前後逆向きで且つ両ケース単体(1A,1B)の底板部(2)間の周囲が各ケース単体(1A,1B)の周側板部(3)によって囲まれるように上下逆向きに重ねたときに相手側のケース単体の前記突出部(25)が嵌合する被係合凹部(19)を設けることが出来る。
【発明の効果】
【０００８】
前記第１発明の構成によれば、一足の靴を片足分ずつ分けて収納する２つのケース単体は、蝶番によって互いに連結されるものではなく、横に並べたり上下に重ねたり出来る独立したものであるから、例えば季節的に使用頻度が高くなった靴を、普段の選択使用に便利なように、シューズボックス内の視認し易い領域の棚上に載置するときも、ケースに収納していない靴を一足分揃えてシューズボックス内の棚上に載置するときと同じように、一足の靴を片足分ずつ分けて収納した２つのケース単体を、その前後向きを同一にして横に並べて載置することにより、棚上に載置された靴の視認による選択や取出しを容易にすることが出来る。又、使用されていない靴は常にケース単体に収納した状態であるから、シューズボックス内が汚れる恐れもなくなる。更に、季節的に使用頻度が高くなった靴をケースから取り出してシューズボックス内の視認し易い領域の棚上に載置した場合のように、靴を取り出した後の空のケースの取り扱いに困るというようなことも無い。勿論、２つのケース単体は、蝶番で互いに連結する必要のないものであって、厚紙などで最小限のサイズの軽量なものに構成することが出来るものであるから、２つのケース単体を横に並べてシューズボックス内の棚上に載置しても、シューズボックス内の収納効率を実質的に低下させてしまう恐れも無い。
【０００９】
しかも、例えば季節的に使用頻度が低くなった靴を、シューズボックス内の上部領域や別の保管場所に保管するような場合には、ケースに収納していない一足の靴を、前後逆向きで靴上面どうしが互いに対面するように重ねるときと同じように、一足の靴を片足分ずつ分けて収納した２つのケース単体を、前後逆向きで収納された靴上面どうしが互いに対面するように重ね合わせ、各ケース単体のケース後半部領域の上端部を相手側ケース単体のケース前半部領域の内側に嵌合して相手側ケース単体の底板部に当接させることにより、前後逆向きで靴上面どうしが互いに対面するように重ね合わせた一足の靴を両ケース単体間で完全に包み込むようにして保護出来る。このとき、両ケース単体は、相対位置関係が不安定な状態で単に重なっているのではなく、前後両端部で互いに嵌合し合って完全な１つの収納ケースを形成しているので、この状態での靴収納ケースの持ち運びや積み重ねも容易に行える。
【００１０】
尚、前記第２発明の構成によるときは、一対のケース単体を互いに前後逆向きで且つ両ケース単体の底板部間の周囲が各ケース単体の周側板部によって囲まれるように上下逆向きに重ねて、各ケース単体のケース後半部領域の上端部を相手側ケース単体のケース前半部領域の内側に嵌合して相手側ケース単体の底板部に当接させたとき、両ケース単体のケース後半部領域間に開口部が形成されることが無く、前後逆向きで靴上面どうしが互いに対面するように重ね合わせた一足の靴の全体を、一般的な深いケース本体と浅い蓋体との組み合わせから成る靴収納ケースを使用する場合と同様に、２つのケース単体で完全に包み込んで保護することが出来る。
【００１１】
又、前記第３発明によるときは、前後逆向きで靴上面どうしが互いに対面するように重ね合わせた一足の靴を２つのケース単体間に収納した状態においても、ケース単体の前後向きに関係なく、収納されている靴の踵部をケース外から開口窓を通して視認することが出来、収納されている靴の選択を容易に行うことが出来る。
【００１２】
尚、一対のケース単体を互いに前後逆向きで且つ両ケース単体の底板部間の周囲が各ケース単体の周側板部によって囲まれるように上下逆向きに重ねて、両ケース単体間に形成される空間内に、前後逆向きで靴上面どうしが互いに対面するように重ね合わせた一足の靴を収納させたとき、上下に重なるケース単体がその長さ方向の一方に相対移動することは、両ケース単体の前後両側板部どうしの対接により阻止出来るが、逆方向の相対移動は、収納されている靴によって阻止されることになる。然るに第４発明の構成によれば、上記のように両ケース単体を互いに重ねたときに、一方のケース単体の前後両側板部の一方の上端に形成された突出部が、当該前後両側板部の一方の外側に隣接する他方のケース単体の前後両側板部の下端に隣接するように底板部側に設けられた被係合凹部に嵌合して、両ケース単体の互いに隣接する前後両側板部が互いに離れる方向に相対移動するのを阻止する。従って、上記のように両ケース単体を互いに重ねたとき、両ケース単体が長さ方向の前後何れ側にも相対移動することが出来ない状態、即ち、上下に重ねられた靴を収納出来る１つの深い箱本体の上端開口部を蓋で閉じる形式の一般的な靴収納ケースと同じ状態になり、靴収納状態のケースの取り扱いが容易に行える。
【図面の簡単な説明】
【００１３】
【図１】図１Ａは、１つのケース単体を前端側から見た斜視図であり、図１Ｂは、同１つのケース単体を後端側から見た斜視図である。
【図２】２つのケース単体を前後同一向きで横に並べた状態の斜視図である。
【図３】図３Ａは、２つのケース単体を前後及び上下逆向きで互いに重ね合わせた靴保管状態を示す斜視図であり、図３Ｂは、同靴保管状態を示す側面図である。
【図４】図４は、ケース本体を形成する厚紙素材の展開状態を示す平面図である。
【発明を実施するための形態】
【００１４】
本発明において使用される２つのケース単体、即ち、互いに同一形状同一サイズの２つのケース単体１Ａ，１Ｂの１つを図１に基づいて説明する。ケース単体１Ａ／１Ｂは、長方形の底板部２と、その上側周囲を取り囲むように底板部２の四辺から立ち上がる周側板部３から成る上側解放のものである。周側板部３は、前後両側板部３ａ，３ｂと左右両側板部３ｃ，３ｄから成り、前側板部３ａは、収納する靴のつま先部の高さより少し高く、後側板部３ｂは、収納する靴の踵側高さより少し高い。又、左右両側板部３ｃ，３ｄは、互いに同一形状のものであって、前側板部３ａと同一高さで当該前側板部３ａから一定長さにわたって底板部２と平行に延びる低位上側辺４ａと、後側板部３ｂと同一高さで当該後側板部３ｂから一定長さにわたって底板部２と平行に延びる高位上側辺４ｂと、低位上側辺４ａの内端と高位上側辺４ｂの内端とをつなぐ斜辺４ｃを備えたものである。
【００１５】
上記構成により、ケース単体１Ａ／１Ｂの周側板部３は、前側板部３ａと左右両側板部３ｃ，３ｄの低位上側辺４ａ、及び斜辺４ｃの低位上側辺４ａ側の領域から形成される、高さの低いケース前半部領域５と、後側板部３ｂと左右両側板部３ｃ，３ｄの高位上側辺４ｂ、及び斜辺４ｃの高位上側辺４ｂ側の領域から形成される、高さの高いケース後半部領域６を備える構造になっている。そして、前記周側板部３の前側板部３ａは、その高さ全域にわたって左右横巾ｗ１が底板部２の左右横巾と同一の横長長方形に形成されているが、前記周側板部３の後側板部３ｂは、その下端の左右横巾ｗ１（底板部２の左右横巾）よりも上端の左右横巾ｗ２が若干狭くなった、左右対称の台形状に形成されている。従って、周側板部３の左右両側板部３ｃ，３ｄは、後側板部３ｂ側ほど上窄まりに傾斜し、ケース後半部領域６は、上端側ほど左右横巾が狭まるように構成されていることになる。又、前後両側板部３ａ，３ｂの内、高さの高い方の後側板部３ｂには、その上端から高さの低い方の前側板部３ａの高さ分だけ下がった位置から下端までの領域内に、縦長長円形の開口窓７が設けられている。
【００１６】
上記構成の互いに同一形状同一サイズの２つのケース単体１Ａ／１Ｂの使用方法について説明すると、図２に示すように、一足の靴の右側靴単体ＳＲと左側靴単体ＳＬを各ケース単体１Ａ，１Ｂに分けて収納することになるが、この場合、各靴単体ＳＲ，ＳＬのつま先側が高さの低いケース前半部領域５に収まり、各靴単体ＳＲ，ＳＬの踵側が高さの高いケース後半部領域６に収まるように靴の向きを定める。勿論、側面視において各靴単体ＳＲ，ＳＬは、ケース単体１Ａ／１Ｂ内から（左右両側板部３ｃ，３ｄの上側辺から）上方には突出していない。このように一足の靴を分けて収納した２つのケース単体１Ａ／１Ｂを、両靴単体ＳＲ，ＳＬの前後向きが揃う状態で横に並べてシューズボックス内の棚上などに載置することが出来る。この状態では、ケースに収納していない状態の一足の靴を左右に並べて載置したときと殆ど変りなく、そのデザインや色彩を視認して、使用する靴の選択などが容易に行える。
【００１７】
季節外れで使用頻度が低くなった靴は、その靴単体ＳＲ，ＳＬを収納している２つのケース単体１Ａ，１Ｂごと取り出し、当該ケース単体１Ａ，１Ｂを互いに前後逆向きとなるように向きを変えて底板部２側で支持し、両ケース単体１Ａ，１Ｂを内側に傾倒させて靴単体ＳＲ，ＳＬの上面側が互いに対面する向きにしながら、両ケース単体１Ａ，１Ｂを互いに重ね合わせる。このとき、ケース後半部領域６は上端側ほど左右横巾が狭くなっているので、図３に示すように、両ケース単体１Ａ，１Ｂのケース後半部領域６の上端部を相手側のケース単体１Ｂ，１Ａのケース前半部領域５内に嵌合させることが出来る。
【００１８】
上記操作により、両ケース単体１Ａ，１Ｂのケース後半部領域６の上端部、即ち、左右両側板部３ｃ，３ｄの高位上側辺４ｂが、相手側のケース単体１Ｂ，１Ａに収納されている靴単体ＳＲ，ＳＬのつま先側の外側でケース前半部領域５内に入り込んで、当該相手側のケース単体１Ｂ，１Ａの底板部２に当接することになる。この結果、両ケース単体１Ａ，１Ｂを上下に重なる向きにしたとき、上側のケース単体１Ａ／１Ｂは、下向きになっているケース後半部領域６の上端部（左右両側板部３ｃ，３ｄの高位上側辺４ｂ）が下側のケース単体１Ｂ／１Ａの底板部２の前端側で支持されると共に、下向きになっている底板部２の前端側が下側のケース単体１Ｂ／１Ａのケース後半部領域６の上端部（左右両側板部３ｃ，３ｄの高位上側辺４ｂ）によって支持され、更に両ケース単体１Ａ，１Ｂの左右両側板部３ｃ，３ｄの斜辺４ｃどうしが互いに隣接し、両ケース単体１Ａ，１Ｂの外側になる底板部２が互いに平行になる状態で、１つの靴収納ケース８を構成することになる。そしてこの靴収納ケース８内に収納されている靴単体ＳＲ，ＳＬは、その上面側どうしが互いに対接する状態で、当該靴収納ケース８内の閉じられた空間内で保護される状態になる。
【００１９】
以上のように操作して、一足の靴をまとめて収納する状態となった靴収納ケース８は、保管場所の棚板上などに、その棚板上の奥行き方向と両ケース単体１Ａ，１Ｂの前後方向とが一致する向きで載置することが出来るが、両ケース単体１Ａ，１Ｂの耐荷重強度の範囲内であれば、上記のようにして構成された靴収納ケース８を上下複数段に積み重ねることも可能である。何れにしても棚の正面側には、上下何れかのケース単体１Ａ／１Ｂの後側板部３ｂに設けられた開口窓７が位置することになるので、当該開口窓７を通じて内部に収納の靴の色彩などを視認し、この結果に基づいて特定の靴が収納されている靴収納ケース８を取り出すことが出来る。
【００２０】
各ケース単体１Ａ／１Ｂの製造方法は特に限定されるものではないが、一例を図４に基づいて説明すると、適当な強度を持つ厚板を裁断して図４に示す形状の１枚の展開厚板素材９を製造する。この展開厚板素材９は、底板部２の四辺に前後両側板部３ａ，３ｂと左右両側板部３ｃ，３ｄが谷折り線１０ａ〜１０ｄを介して一体に連設されると共に、左右両側板部３ｃ，３ｄの前端側には、前側板部３ａの内側に重ねる舌片部１１ａ，１１ｂが谷折り線１２ａ，１２ｂを介して連設されている。又、左右両側板部３ｃ，３ｄの後端側には、後側板部３ｂの内側に重ねるための、後側板部３ｂと同一形状の重ね用後側板部１３ａ，１３ｂが谷折り線１４ａ，１４ｂを介して連設されている。
【００２１】
前側板部３ａには、当該前側板部３ａとの間で左右両舌片部１１ａ，１１ｂを挟み込む内側折り返し板部１５が谷折り線１６を介して連設されると共に、この内側折り返し板部１５には、更に底板部２上に重ねる舌片部１７が山折り線１８を介して連設されている。この舌片部１７には、山折り線１８に隣接して左右巾方向に長い長孔から成る被係合凹部１９が形成されている。又、後側板部３ｂには、当該後側板部３ｂとの間で左右両重ね用後側板部１３ａ，１３ｂを挟み込む内側折り返し板部２０が谷折り線２１を介して連設され、当該内側折り返し板部２０の左右両側辺の先端部には、固定用突出片２２ａ，２２ｂが突設されている。更に、重ね用後側板部１３ａ，１３ｂの上側辺中央部には突出部２３ａ，２３ｂが突設され、後側板部３ｂと内側折り返し板部２０との間の谷折り線２１には、前記突出部２３ａ，２３ｂを入り込ませるためのスリット２４が設けられている。
【００２２】
上記構成の展開厚板素材９の組立て手順を説明すると、左右両側板部３ｃ，３ｄに対して舌片部１１ａ，１１ｂを谷折り線１２ａ，１２ｂにおいて内側に折曲すると共に、左右両側板部３ｃ，３ｄに対して重ね用後側板部１３ａ，１３ｂを谷折り線１４ａ，１４ｂにおいて内側に折曲する。次に、底板部２に対して前後両側板部３ａ，３ｂと左右両側板部３ｃ，３ｄを谷折り線１０ａ〜１０ｄにおいて内側に折曲して起立させ、舌片部１１ａ，１１ｂを前側板部３ａの内側に重ねると共に、重ね用後側板部１３ａ，１３ｂを後側板部３ｂの内側に重ねる。この後、前側板部３ａに対して内側折り返し板部１５を谷折り線１６において内側に折曲して、前側板部３ａと内側折り返し板部１５との間で左右両舌片部１１ａ，１１ｂを挟み込み、同時に舌片部１７を山折り線１８において外側へ折曲して底板部２上に重ねる。この舌片部１７は底板部２上に接着又はホッチキス針などにより固定しても良い。
【００２３】
そして後側板部３ｂに対して内側折り返し板部２０を谷折り線２１において内側に折曲し、後側板部３ｂとの間で二枚重ねの重ね用後側板部１３ａ，１３ｂを挟み込むのであるが、このとき、二枚重ねの重ね用後側板部１３ａ，１３ｂの上側辺から突出している二枚重ねの突出部２３ａ，２３ｂを、後側板部３ｂと内側折り返し板部２０との境界部に形成されるスリット２４内に嵌合させる。内側折り返し板部２０は、その両側辺下端の固定用突出片２２ａ，２２ｂを折曲させながら左右両側板部３ｃ，３ｄの内側面に圧接させる。この結果、後側板部３ｂと内側折り返し板部２０との間で二枚重ねの重ね用後側板部１３ａ，１３ｂを挟み込んだ状態が保持されるが、当該固定用突出片２２ａ，２２ｂを左右両側板部３ｃ，３ｄの内側面に接着又はホッチキス針などにより固定しても良い。
【００２４】
尚、図示するように、後側板部３ｂと重ね用後側板部１３ａ，１３ｂは、上端側ほど横巾が狭くなる左右対称の台形状に形成されている。又、スリット２４は、その長さ方向の両端に連設されたＴ字状の切込みを備えており、二枚重ねの重ね用後側板部１３ａ，１３ｂの上側辺から突出している二枚重ねの突出部２３ａ，２３ｂを当該スリット２４内に嵌合させたとき、当該スリット２４の両側辺の板部が後側板部３ｂと内側折り返し板部２０の延長姿勢を保持して、当該スリット２４に嵌合した二枚重ねの突出部２３ａ，２３ｂと共に合計四枚重ねの突出部２５が形成される。
【００２５】
図４に示す展開厚板素材９の折り曲げによって組み立てられたケース単体は、先に説明したケース単体１Ａ／１Ｂの構造を全て備えると共に、この２つのケース単体を図３に示すように重ね合わせたとき、一方のケース単体１Ａ／１Ｂが備える三枚重ねの後側板部３ｂ，１３ａ，１３ｂ（内側折り返し板部２０を含めるならば四枚重ねとなる）の上端から突出する突出部２５が、他方のケース単体１Ｂ／１Ａが備える前側板部３ａの下端内側の被係合凹部１９に嵌合することになる。従って、図３に示すように重ね合わせられた２つのケース単体１Ａ，１Ｂが、互いに隣接する前後両側板部３ａ，３ｂが離れる方向に相対移動することは、前記突出部２５と被係合凹部１９との嵌合により阻止される。
【００２６】
尚、被係合凹部１９は、１枚の舌片部１７に設けられた長孔によって形成されているので、突出部２５の突出量も、展開厚板素材９の板厚分とほぼ等しくなるように構成されている。勿論、ケース単体１ａ，１Ｂの構造によっては、底板部２の前側板部３ａに隣接する端部に左右横巾方向の長孔を直接設けて被係合凹部１９とすることも出来る。更に、後側板部３ｂの上端から突出する突出部２５も、上記構造に限定されない。
【産業上の利用可能性】
【００２７】
本発明の靴収納ケースは、靴底を外側にして上下に重ねた状態の一足分の靴を収納することが出来る保管に好適なケースでありながら、シューズボックス内の棚上に一足の靴を左右に並べて載置する場合にも、ケース内から靴を取り出さないでケースごと棚上に並べることが出来る靴収納ケースとして活用出来る。
【符号の説明】
【００２８】
１Ａ，１Ｂ    ケース単体
２    底板部
３    周側板部
３ａ    前側板部
３ｂ    後側板部
３ｃ，３ｄ    左右両側板部
４ａ    低位上側辺
４ｂ    高位上側辺
４ｃ    斜辺
５    ケース前半部領域
６    ケース後半部領域
７    開口窓
８    靴収納ケース
９    展開厚板素材
１０ａ〜１０ｄ，１２ａ，１２ｂ，１４ａ，１４ｂ，１６，２１    谷折り線
１１ａ，１１ｂ，１７    舌片部
１３ａ，１３ｂ    重ね用後側板部
１５    内側折り返し板部
１８    山折り線
１９    被係合凹部
２０    内側折り返し板部
２２ａ，２２ｂ    固定用突出片
２３ａ，２３ｂ，２５    突出部
２４    スリット
【図１】
2014028623.tif 000003
【図２】
2014028623.tif 000004
【図３】
2014028623.tif 000005
【図４】
2014028623.tif 000006